(57)【要約】【課題】本発明は、複数のアイコンが連続操作される場合にも操作性を向上させる配置順序にアイコンを配置する。【解決手段】印刷システム１は、印刷実行装置Ｐｒのアイコン管理部３５が、操作表示部３４のディスプレイ画面に表示されているアイコンのうち、操作されたアイコンの識別情報を操作順序とともに情報処理装置ＰＣの印刷ジョブエージェントＡＧに送って、アイコン実行時間管理部２２が、所定期間内に操作されたアイコン情報をアイコン操作パターンリストとして全体アイコンパターン記憶部２３と個人アイコンパターン記憶部２４に記憶し、複数のアイコン操作パターンリストを印刷実行装置Ｐｒに送って、アイコン管理部３５が、このアイコン捜査班リストに基づいてアイコンの配置順序を決定して操作表示部３４に複数のアイコンを該配置順序で表示させる。【選択図】          図１
2013235500.tif 000002
【特許請求の範囲】
【請求項１】
所定の表示領域にそれぞれ機能の割り当てられている複数のアイコンを表示する表示画面と、
前記表示画面に表示されている前記アイコンのうち所定の一連操作された複数のアイコンの識別情報を操作順序とともにアイコン操作パターン情報として取得するアイコン操作パターン情報取得手段と、
前記アイコン操作パターン情報を複数記憶するアイコン操作パターン情報記憶手段と、
前記アイコン操作パターン情報記憶手段に記憶されている複数の前記アイコン操作パターン情報に基づいてアイコンの配置順序を決定して、前記表示画面に複数のアイコンを該配置順序で表示させるアイコン配置決定手段と、
を備えていることを特徴とする情報処理装置。
【請求項２】
前記アイコン操作パターン情報取得手段は、
前記一連操作された前記アイコンの識別情報、操作順序及び操作回数を前記アイコン操作パターン情報として取得して前記アイコン操作パターン情報記憶手段に記憶させ、
前記アイコン配置決定手段は、
前記アイコン操作パターン情報記憶手段に記憶されている複数の前記アイコン操作パターン情報の各操作順序に位置するアイコンの識別情報及び操作回数に基づいて、前記表示画面への前記アイコンの配置順序を決定することを特徴とする請求項１記載の情報処理装置。
【請求項３】
前記アイコン配置決定手段は、
前記表示画面に表示させている前記アイコンの操作が行われると、前記アイコン操作パターン情報記憶手段の複数の前記アイコン操作パターン情報を、前記一連操作における該アイコンの操作順序に対応する位置のアイコンが、操作された該アイコンと同じアイコンであるアイコン操作パターン情報に絞り込み、絞り込んだ該アイコン操作パターン情報に基づいてアイコンの配置順序を決定して、前記表示画面に複数の該アイコンを該配置順序で表示させるアイコン配置順序決定処理を、該表示画面に表示させている該アイコンの操作が前記一連操作として行われる毎に順次実行することを特徴とする請求項１または請求項２記載の情報処理装置。
【請求項４】
前記アイコン操作パターン情報取得手段は、
前のアイコン操作から所定時間内に次のアイコン操作が行われると、前の該アイコン操作と次の該アイコン操作を前記一連操作として、前記アイコン操作パターン情報を取得することを特徴とする請求項１から請求項３のいずれかに記載の情報処理装置。
【請求項５】
所定の表示領域にそれぞれ機能の割り当てられている複数のアイコンを列状に並べたアイコン操作パターンを表示する表示画面と、
前記表示画面に表示されている複数の前記アイコン操作パターンのうち一つが選択操作されると、選択操作された該アイコン操作パターンの識別情報をアイコン操作パターン情報として取得するアイコン操作パターン情報取得手段と、
前記アイコン操作パターン情報を複数記憶するアイコン操作パターン情報記憶手段と、
前記アイコン操作パターン情報記憶手段に記憶されている複数の前記アイコン操作パターン情報に基づいて複数のアイコン操作パターンの配置順序を決定して、前記表示画面に複数のアイコン操作パターンを該配置順序で表示させるアイコン操作パターン配置決定手段と、
を備えていることを特徴とする情報処理装置。
【請求項６】
前記情報処理装置は、
前記アイコン操作パターン情報記憶手段に記憶されている複数の前記アイコン操作パターン情報に基づいて前記アイコンの配置順序を決定して、前記表示画面に複数のアイコンを該配置順序で表示させるアイコン配置決定手段と、
前記アイコン操作パターン配置決定手段の決定した前記配置順序での複数の前記アイコン操作パターンの表示と、前記アイコン配置決定手段の決定した前記配置順序での複数の前記アイコンの表示と、を切り替える表示切り替え手段と、
前記アイコン配置決定手段の決定した前記配置順序で前記表示画面に表示されている前記アイコンのうち所定の一連操作された複数のアイコンの識別情報を操作順序とともにアイコン操作パターン情報として取得して前記アイコン操作パターン情報記憶手段に記憶させるアイコン操作パターン情報取得手段と、
を備えていることを特徴とする請求項５記載の情報処理装置。
【請求項７】
所定の表示領域にそれぞれ機能の割り当てられている複数のアイコンを表示する表示画面と、
前記アイコンの操作に応じた画像処理を実行する画像処理手段と、
前記表示画面に表示されている前記アイコンのうち所定の一連操作された複数のアイコンの識別情報を操作順序とともにアイコン操作パターン情報として取得するアイコン操作パターン情報取得手段と、
前記アイコン操作パターン情報を複数記憶するアイコン操作パターン情報記憶手段と、
前記アイコン操作パターン情報記憶手段に記憶されている複数の前記アイコン操作パターン情報に基づいてアイコンの配置順序を決定して前記表示画面に複数のアイコンを該配置順序で表示させるアイコン配置決定手段と、
を備えていることを特徴とする画像処理装置。
【請求項８】
印刷ジョブを生成して送信する情報処理装置と、所定の表示領域にそれぞれ機能の割り当てられている複数のアイコンを表示する表示画面でのアイコン操作及び該情報処理装置からの印刷ジョブに基づいて印刷処理を実行する印刷装置とが所定の通信回線で接続されている印刷システムであって、
前記印刷装置は、
前記通信回線を介して前記情報処理装置と通信する通信手段と、
前記表示画面に表示されている前記アイコンのうち操作されたアイコンの識別情報を操作順序とともにアイコン情報として取得するアイコン情報取得手段と、
前記アイコン情報を前記通信手段から前記情報処理装置に送信するとともに、該情報処理装置からアイコン操作パターン情報を該通信手段が受信すると、複数の前記アイコン操作パターン情報に基づいて前記表示画面へのアイコンの配置順序を決定して、複数のアイコンを該配置順序で表示させるアイコン配置決定手段と、
を備え、
前記情報処理装置は、
前記通信回線を介して前記印刷装置と通信する通信手段と、
前記通信手段が前記印刷装置から受信したアイコン情報のうち所定の一連操作された複数のアイコン操作のアイコン情報を操作順序とともにアイコン操作パターン情報として取得するアイコン操作パターン情報取得手段と、
前記アイコン操作パターン情報を前記印刷装置に関連付けて記憶するアイコン操作パターン情報記憶手段と、
前記アイコン操作パターン情報記憶手段に前記印刷装置毎に記憶されている複数の前記アイコン操作パターン情報を前記通信手段に該印刷装置へ送信させるアイコン制御手段と、
を備えていることを特徴とする印刷システム。
【請求項９】
表示画面の所定の表示領域にそれぞれ機能の割り当てられている複数のアイコンを表示する表示処理ステップと、
前記表示画面に表示されている前記アイコンのうち所定の一連操作された複数のアイコンの識別情報を操作順序とともにアイコン操作パターン情報として取得してアイコン操作パターン情報記憶手段に記憶させるアイコン操作パターン情報取得処理ステップと、
前記アイコン操作パターン情報記憶手段に記憶されている複数の前記アイコン操作パターン情報に基づいてアイコンの配置順序を決定して前記表示処理ステップで前記表示画面に複数のアイコンを該配置順序で表示させるアイコン配置決定処理ステップと、
を有していることを特徴とするアイコン表示制御方法。
【請求項１０】
コンピュータに、
表示画面の所定の表示領域にそれぞれ機能の割り当てられている複数のアイコンを表示する表示処理と、
前記表示画面に表示されている前記アイコンのうち所定の一連操作された複数のアイコンの識別情報を操作順序とともにアイコン操作パターン情報として取得してアイコン操作パターン情報記憶手段に記憶させるアイコン操作パターン情報取得処理と、
前記アイコン操作パターン情報記憶手段に記憶されている複数の前記アイコン操作パターン情報に基づいてアイコンの配置順序を決定して前記表示処理で前記表示画面に複数のアイコンを該配置順序で表示させるアイコン配置決定処理と、
を実行させることを特徴とするアイコン表示制御プログラム。
【発明の詳細な説明】
【技術分野】
【０００１】
本発明は、情報処理装置、画像処理装置、印刷システム、アイコン表示制御方法及びアイコン表示制御プログラムに関し、詳細には、利用性の良好なアイコン表示を行う情報処理装置、画像処理装置、印刷システム、アイコン表示制御方法及びアイコン表示制御プログラムに関する。
【背景技術】
【０００２】
複合装置、複写装置、プリンタ装置、コンピュータ等の画像処理装置や情報処理装置は、ユーザインターフェイスにおいて、近年、画面に表示されたアイコン（Widget）を選択することで、各アイコンに割り当てられている機能を実行させることができるが、一画面に表示できるアイコンの数には限りがあるため、アイコンの数が多くなると、アイコンの操作性が悪化する。特に、アイコンの数が１画面に入りきれない数になると、画面の切り替えを行う必要が生じ、アイコンの配置状態が操作性に与える影響が大きくなる。
【０００３】
そして、従来、アプリケーションプログラムが識別可能に表現されるアイコンをメニュー項目として同一ウィンドウ内に一覧表示するメニュー表示機能を有してなる携帯型情報機器において、前記アイコンそれぞれの選択回数を計数する計数手段と、前記計数手段によって計数された選択回数をもとに前記ウィンドウ内のアイコンの整列順序を決定する整列順序決定手段とを具備してなることを特徴とする携帯型情報機器が提案されている（特許文献１参照）。
【０００４】
すなわち、この従来技術は、アプリケーションプログラムを識別するアイコンの選択回数を計数して、選択回数に基づいてアイコンのウィンドウ内での配列順序を決定している。
【発明の概要】
【発明が解決しようとする課題】
【０００５】
しかしながら、上記従来技術にあっては、単に、アイコンの選択回数に基づいて配列順序を決定しているのみであるため、利用性を向上させる上で、改良の必要がった。
【０００６】
すなわち、画面上のアイコンの操作には、個別のアイコンを１度操作するだけで、意図する動作を行わせる場合もあれば、複数のアイコンを連続して操作することで、意図する動作命令を入力操作する場合もあり、１個のみ、また、数の異なる複数のアイコンを連続して操作するアイコン操作が行われる場合には、従来技術のように、単にアイコンの選択回数にのみ基づいてアイコンの配列順序を決定するのみでは、アイコンが連続操作される場合におけるユーザの意図するアイコン操作を行うためには、なお、一定の条件で並び替えられたアイコン配列の中から目的のアイコンを探す必要があり、アイコンの操作性を向上させることができず、改良の必要があった。
【０００７】
そこで、本発明は、複数のアイコンが連続操作される場合にも操作性を向上させる配置順序にアイコンを配置することを目的としている。
【課題を解決するための手段】
【０００８】
上記目的を達成するために、請求項１記載の情報処理装置は、所定の表示領域にそれぞれ機能の割り当てられている複数のアイコンを表示する表示画面と、前記表示画面に表示されている前記アイコンのうち所定の一連操作された複数のアイコンの識別情報を操作順序とともにアイコン操作パターン情報として取得するアイコン操作パターン情報取得手段と、前記アイコン操作パターン情報を複数記憶するアイコン操作パターン情報記憶手段と、前記アイコン操作パターン情報記憶手段に記憶されている複数の前記アイコン操作パターン情報に基づいてアイコンの配置順序を決定して、前記表示画面に複数のアイコンを該配置順序で表示させるアイコン配置決定手段と、を備えていることを特徴としている。
【発明の効果】
【０００９】
本発明によれば、複数のアイコンが連続操作される場合にも操作性を向上させる配置順序にアイコンを配置することができる。
【図面の簡単な説明】
【００１０】
【図１】本発明の一実施例を適用した印刷システムのシステム構成図。
【図２】非認証ログインユーザのアイコン操作情報登録処理のシーケンス図。
【図３】認証ログインユーザのアイコン操作情報登録処理のシーケンス図。
【図４】印刷実行装置におけるアイコン配置順序制御処理の説明図。
【図５】アイコン配置順序の入れ替えの説明図。
【図６】表示アイコンパターン設定処理を示すシーケンス図。
【図７】初回のアイコン操作パターン照合処理を示すシーケンス。
【図８】少なくとも１回以上アイコン操作されたあとのアイコン操作パターン照合処理を示すシーケンス図。
【図９】パターン選択画面の一例を示す図。
【図１０】パターン選択画面とアイコン選択画面の切り替えとアイコン配置順序入れ替え処理の説明図。
【発明を実施するための形態】
【００１１】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１２】
図１〜図１０は、本発明の情報処理装置、画像処理装置、印刷システム、アイコン表示制御方法及びアイコン表示制御プログラムの一実施例を示す図であり、図１は、本発明の情報処理装置、画像処理装置、印刷システム、アイコン表示制御方法及びアイコン表示制御プログラムの一実施例を適用した印刷システム１のシステム構成図である。
【００１３】
図１において、印刷システム１は、任意の通信回線Ｌ、例えば、ＬＡＮ（Local Area Network）等を介して情報処理装置ＰＣと印刷実行装置Ｐｒが接続されており、通信回線Ｌには、これらの情報処理装置ＰＣ及び印刷実行装置Ｐｒは、それぞれ複数台が接続されていてもよい。
情報処理装置ＰＣは、例えば、ＣＰＵ（Central Processing Unit ）、ＲＯＭ（Read Only Memory）、ＲＡＭ（Random Access Memory）、ハードディスク、入出力デバイス（ディスプレイ、キーボード、マウス等）及び通信インターフェイス等の通常のハードウェア構成及びＯＳ（Operating System）上に、文書作成アプリケーション、図形アプリケーション、表計算アプリケーション及びプリンタドライバ等の各種アプリケーションからなるソフトウェア構成のパーソナルコンピュータ等であり、これらのハードウェアとソフトウェア及び本発明のアイコン表示制御プログラムによって、印刷システム１において印刷要求するのに必要な印刷クライアント機能部ＣＬと印刷ジョブエージェント機能部ＡＧが構築されている。
すなわち、情報処理装置ＰＣは、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明のアイコン表示制御方法を実行するアイコン表示制御プログラムを読み込んでＲＯＭやハードディスク等に導入することで、後述するアイコン表示の配置順序を複数のアイコンを連続して操作して動作指示操作する場合にも対応したアイコン配置順序に制御するアイコン表示制御方法を実行する印刷システム１における情報処理装置として構築されている。このアイコン表示制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
そして、情報処理装置ＰＣの印刷クライアント機能部ＣＬは、通信部１１及び印刷ジョブ生成部１２等が構築されており、印刷ジョブエージェント機能部ＡＧは、通信部２１、アイコン実行時間管理部２２、全体アイコンパターン記憶部２３、個人アイコンパターン記憶部２４及びアイコンパターン制御部２５等が構築されている。
印刷クライアント機能部ＣＬの通信部１１は、印刷ジョブエージェント機能部ＡＧの通信部２１と通信して各種データや信号の授受を行い、印刷ジョブエージェント機能部ＡＧの通信部２１は、さらに、通信回線Ｌを介して印刷実行装置Ｐｒとデータ及び信号の授受を行う。
印刷クライアントＣＬの印刷ジョブ生成部１２は、印刷実行装置Ｐｒで印刷を実行させる印刷データと該印刷設定内容（印刷部数、カラー等）からなる印刷ジョブを生成する。印刷ジョブ生成部１２は、具体的には、文書作成アプリケーション等のアプリケーションで作成・編集等の行われた文書データ、または、他のコンピュータやデジタルカメラ等から受信した文書や画像等の文書データをそのまままたはアプリケーションで編集した文書データに対して、入出力デバイスから印刷先の印刷実行装置Ｐｒが指定されて印刷要求が行われると、プリンタドライバによって該文書データから印刷データを生成するとともに、印刷設定情報を付加して印刷ジョブを生成し、通信部１１が印刷ジョブエージェント機能部ＡＧの通信部２１に送る。
【００１４】
印刷ジョブエージェント機能部ＡＧは、後述する印刷実行装置Ｐｒの操作表示部３４のディスプレイ画面ＤＰ（図４、図５参照）に表示されているアイコンの操作がユーザによって行われたときのアイコン操作情報（どのアイコンがいつどの順序で行われたか、該ユーザがユーザ認証を伴う認証ログインユーザであるか、ユーザ認証を伴わない非認証ユーザであるか等の情報）を、通信インターフェイスで構築されている通信部（通信手段）２１を介して該印刷実行装置Ｐｒから取得する。
【００１５】
アイコン実行時間管理部２２は、通信部２１が取得したアイコン操作情報から該アイコン操作情報のアイコン識別情報であるアイコンＩＤの示しているアイコンの操作間隔の時間とユーザ情報（認証ログインユーザか非認証ログインユーザであるかの情報）に基づいて、取得したアイコン操作情報を管理する。すなわち、アイコン実行時間管理部２２は、取得したアイコン操作情報が非認証ログインユーザのアイコン操作情報であると、該アイコン操作情報を全体アイコンパターン記憶部２３に保存し、取得したアイコン操作情報が認証ログインユーザのアイコン操作情報であると、該アイコン操作情報を個人アイコンパターン記憶部２４に保存する。アイコン実行時間管理部２２は、例えば、アイコンの操作順序と操作間隔を示す操作日時及びアイコン操作回数に基づいて、アイコン操作パターンリストの管理を行う。
【００１６】
全体アイコンパターン記憶部２３は、ハードディスクやＮＶＲＡＭ（Non-Volatile Random Access Memory）等の不揮発性メモリ等で構築されており、ユーザ認証を伴わない非認証ログインユーザによる印刷実行装置Ｐｒでのアイコン操作情報をアイコン実行時間管理部２２の制御下で記憶する。特に、全体アイコンパターン記憶部２３は、アイコン実行時間管理部２２の制御下で、アイコンのうち、非認証ログインユーザによって所定の一連操作された複数のアイコンのアイコンＩＤ（識別情報）を操作順序とともにアイコン操作パターンリスト情報（アイコン操作パターン情報）として記憶する。
【００１７】
個人アイコンパターン記憶部２４は、ハードディスクやＮＶＲＡＭ等の不揮発性メモリ等で構築されており、ユーザ認証を行ってログインした認証ログインユーザによる印刷実行装置Ｐｒでのアイコン操作情報をアイコン実行時間管理部２２の制御下で記憶する。特に、個人アイコンパターン記憶部２４は、アイコン実行時間管理部２２の制御下で、アイコンのうち、認証ログインユーザによって所定の一連操作された複数のアイコンのアイコンＩＤを操作順序とともにアイコン操作パターンリスト情報として記憶する。
【００１８】
これら全体アイコンパターン記憶部２３及び個人アイコンパターン記憶部２４は、全体として、アイコン操作パターン情報記憶手段として機能している。
【００１９】
アイコンパターン制御部（アイコン制御手段）２５は、全体アイコンパターン記憶部２３及び個人アイコンパターン記憶部２４に記憶されている非認証ログインユーザ及び認証ログインユーザのアイコン操作情報、特に、アイコン操作パターンリスト情報を管理して、印刷実行装置Ｐｒ毎の非認証ログインユーザに対するアイコン操作パターンリスト情報、認証ログインユーザに対応するアイコン操作パターンリスト情報を取得して、通信部２１を介して印刷実行装置Ｐｒに送信する。
印刷実行装置（画像処理装置、印刷装置）Ｐｒは、プリンタ装置、複写装置、ファクシミリ装置、複合装置等の印刷機能を備えている印刷実行する装置であり、ハードウェア及び印刷実行装置としてのソフトウェアと本発明の画像処理装置、印刷装置に搭載されるアイコン制御プログラム等のソフトウェアによって通信部３１、印刷部３２、ログイン状況管理部３３、操作表示部３４及びアイコン管理部３５等が構築されている。
【００２０】
通信部（通信手段）３１は、通信回線Ｌを介して印刷ジョブエージェント機能部ＡＧに接続されており、情報処理装置ＰＣの通信部２１との間で、印刷ジョブ及びアイコン表示に関する情報や制御信号を授受する。
【００２１】
印刷部（画像処理手段）３２は、所定の印刷方式、例えば、電子写真方式、インク噴射方式等で印刷ジョブの印刷データ及び印刷設定情報に基づいて画像を用紙に印刷出力する。すなわち、印刷部３２は、例えば、電子写真方式で画像形成する場合、電子写真方式で用紙に印刷データを記録出力するのに必要な部品、例えば、感光体、光書込部、現像部、帯電部及びクリーニング部等を備えており、印刷データに基づいて光書込部を動作させて感光体上に静電潜像を形成して、現像部によりトナーを感光体上に供給して現像してトナー画像を形成する。そして、印刷部３２は、給紙部から用紙を感光体と転写部との間に給紙して、感光体上のトナー画像を用紙に転写させ、トナー画像の転写された用紙を定着部に搬送して、定着部で加熱・加圧して用紙上のトナー画像を定着させることで、画像を形成する。
【００２２】
操作表示部３４は、印刷実行装置Ｐｒに印刷実行装置Ｐｒとしての各種動作を実行させるための操作キー、各種情報やアイコンを表示するディスプレイ画面ＤＰ（図４、図５参照）等を備えている。
【００２３】
ログイン状況管理部３３は、印刷実行装置Ｐｒへのログインに用いるユーザ認証情報、例えば、ユーザＩＤとパスワードの管理、ユーザ認証情報を用いたログイン処理及びユーザ認証情報を用いないログイン処理の実行制御等を行い、印刷実行装置Ｐｒにログインするユーザのログイン状態、すなわち、認証を行なってログインしたログインユーザであるか、認証を行わないでログインしたログインユーザであるかを管理している。
【００２４】
アイコン管理部３５は、操作表示部３４のディスプレイ画面ＤＰに表示しているアイコンの操作を検出して、アイコン操作パターン情報記憶手段に記憶されている複数の前記アイコン操作パターン情報に基づいてアイコンの配置順序を決定して、前記表示画面に表示されている複数のアイコンのうち操作されたアイコンのアイコンＩＤ（識別情報）を操作順序とともにアイコン情報として取得して通信部３１から印刷ジョブエージェント機能部ＡＧに送信するアイコン情報取得手段として機能動作するとともに、印刷ジョブエージェント機能部ＡＧからのアイコン操作パターンリスト情報を通信部３１が受信すると、複数の該アイコン操作パターンリスト情報に基づいてディスプレイ画面ＤＰへのアイコンの配置順序を決定して、複数のアイコンを該配置順序で操作表示部３４のディスプレイ画面ＤＰへ表示させるアイコン配置決定手段として機能動作する。
【００２５】
すなわち、印刷実行装置Ｐｒは、ＲＯＭ、ＥＥＰＲＯＭ、ＥＰＲＯＭ、フラッシュメモリ、フレキシブルディスク、ＣＤ−ＲＯＭ、ＣＤ−ＲＷ、ＤＶＤ、ＳＤカード、ＭＯ等のコンピュータが読み取り可能な記録媒体に記録されている本発明のアイコン表示制御方法を実行するアイコン表示制御プログラムを読み込んでＲＯＭやハードディスク等に導入することで、後述するアイコン表示の配置順序を複数のアイコンを連続して操作して動作指示操作する場合にも対応したアイコン配置順序に制御するアイコン表示制御方法を実行する印刷システム１における画像処理装置及び印刷装置として構築されている。このアイコン表示制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００２６】
次に、本実施例の作用を説明する。本実施例の認証システム１は、印刷実行装置Ｐｒの操作表示部３４のディスプレイ画面ＤＰに表示される複数のアイコンが連続操作される場合にも操作性を向上させる配列順序にアイコンを配列する。
【００２７】
まず、ユーザがユーザ非認証で印刷実行装置Ｐｒにログインしてアイコン操作した場合の非認証ログインユーザのアイコン操作情報を、情報処理装置ＰＣの印刷ジョブエージェント機能部ＡＧの全体アイコンパターン記憶部２３に登録する非認証ログインユーザのアイコン操作情報登録処理について、図２に基づいて説明する。
【００２８】
図２において、ユーザＵが、ユーザ認証情報を用いたユーザ認証を行うことなく、情報処理装置ＰＣの印刷クライアント機能部ＣＬを起動させてログインし（Ｓ１）、必要な文書データと印刷設定を行って印刷指示を行うと、印刷クライアント機能部ＣＬは、ユーザ認証情報を付加しない印刷ジョブを生成して、該印刷ジョブを印刷ジョブエージェント機能部ＡＧに送って、印刷ジョブエージェント機能部ＡＧに印刷ジョブを登録する（Ｓ２）。
【００２９】
情報処理装置ＰＣの印刷ジョブエージェント機能部ＡＧは、ユーザ認証情報の付加されていない印刷ジョブが登録されると、アイコンパターン生成部２５が、全体アイコンパターン記憶部２３に記憶されている複数のアイコン操作情報に基づいて非認証ログインユーザ用の表示用アイコンパターン情報（図２では、アイコン情報と表示。）を通信部２１から通信回線Ｌを介して印刷実行装置Ｐｒに送信する（Ｓ３）。
【００３０】
印刷実行装置Ｐｒは、アイコン管理部３５が、情報処理装置ＰＣの印刷ジョブエージェント機能部ＡＧから送られてきた表示用アイコンパターン情報（配置順序情報）に応じたアイコン配置順序で、操作表示部３４のディスプレイ画面ＤＰに、アイコンを表示出力し、ユーザＵがディスプレイ画面ＤＰに表示されているアイコンの操作を行うと（Ｓ４−１）（図２では、アイコン実行と記載。）、アイコン管理部３５が操作されたアイコンを示すＩＤ（アイコンＩＤ：アイコン識別情報）と、操作時刻（実行時間：操作順序）を通信部３１から通信回線Ｌを介して、情報処理装置ＰＣの印刷ジョブエージェント機能部ＡＧに送信する（Ｓ５−１）。
【００３１】
印刷ジョブエージェント機能部ＡＧは、印刷実行装置ＰｒからアイコンＩＤと操作時間等のアイコン操作情報が送られてくると、該アイコン操作情報を、全体アイコンパターンの１つのリスト候補となるアイコン操作パターンリストＰ１（図２では、パターンリストと記載。）に、そのアイコン操作パターンリストＰ１の先頭のアイコンとして格納する（Ｓ６−１）。
【００３２】
同様に、印刷実行装置Ｐｒのアイコン管理部３５は、操作表示部３４のディスプレイ画面ＤＰに表示されているアイコンがユーザＵによって操作されると（Ｓ４−２）、操作されたアイコンを示すＩＤ（アイコンＩＤ）と、操作時刻（実行時間）を含むアイコン操作情報を通信部３１から通信回線Ｌを介して、情報処理装置ＰＣの印刷ジョブエージェント機能部ＡＧに送る（Ｓ５−２）。
【００３３】
印刷ジョブエージェント機能部ＡＧは、印刷実行装置Ｐｒからアイコン操作情報が送られてくると、該アイコン操作時間が前のアイコン操作から一定時間内であるか判断して、一定時間内であると、全体アイコンパターン記憶部２３の前のアイコンを登録したアイコン操作パターンリストと同じアイコン操作パターンリストＰ１の次のアイコンとして格納する（Ｓ６−２）。
【００３４】
印刷実行装置Ｐｒ及び情報処理装置ＰＣの印刷ジョブエージェント機能部ＡＧは、アイコン操作が一定の時間内に操作される限り、連続して操作されるアイコンを、一連操作アイコンとして取得して、上記同様に、処理して同じアイコン操作パターンリストＰ１に順番に登録する。
【００３５】
その後、アイコンの操作から一定時間以上経過すると（Ｓ７）、印刷ジョブエージェント機能部ＡＧのアイコンパターン制御部２５は、アイコン操作パターンリストＰ１を、操作列の完了したアイコン操作パターンリストＰ１として、全体アイコンパターン記憶部２３に登録して（Ｓ８）、その後に、印刷実行装置Ｐｒは、ユーザＵによって操作表示部３４のディスプレイ画面ＤＰでアイコン操作があると（Ｓ９）、上記同様に、アイコン管理部３５が、操作されたアイコンを示すＩＤ（アイコンＩＤ）と、操作時刻（実行時間）を含むアイコン操作情報を通信部３１から通信回線Ｌを介して情報処理装置ＰＣの印刷ジョブエージェント機能部ＡＧに送る（Ｓ１０）。
印刷ジョブエージェント機能部ＡＧは、印刷実行装置Ｐｒからアイコン操作情報が送られてくると、該アイコン操作情報を、全体アイコンパターン記憶部２３の次のリスト候補となるアイコン操作パターンリストＰ２に、そのアイコン操作パターンリストＰ２の先頭のアイコンとして格納する（Ｓ１１）という処理から上記同様に処理する。
【００３６】
次に、ユーザがユーザ認証して印刷実行装置Ｐｒにログインしてアイコン操作した場合の認証ログインユーザのアイコン操作情報を、情報処理装置ＰＣの印刷ジョブエージェント機能部ＡＧの個人アイコンパターン記憶部２４に、印刷実行装置Ｐｒ及び該ユーザＵに対応させて登録する認証ログインユーザのアイコン操作情報登録処理について、図３に基づいて説明する。
【００３７】
図３において、ユーザＵが、ユーザ認証情報（例えば、個人ＩＤ、パスワード等）を用いたユーザ認証を行って、情報処理装置ＰＣの印刷クライアント機能部ＣＬを起動させてログインし（Ｓ２１）、必要な文書データと印刷設定を行って印刷指示を行うと、印刷クライアント機能部ＣＬは、ユーザ認証情報を付加した印刷ジョブを生成して、該印刷ジョブを印刷ジョブエージェント機能部ＡＧに送って、印刷ジョブエージェント機能部ＡＧに印刷ジョブを登録する（Ｓ２２）。
【００３８】
印刷ジョブエージェント機能部ＡＧは、ユーザ認証情報の付加されている印刷ジョブが登録されると、アイコンパターン生成部２５が、個人アイコンパターン記憶部２４に記憶されている複数のアイコン操作パターンリスト情報を含むアイコン操作情報に基づいて該ユーザ認証情報に対応する認証ログインユーザ用の表示用アイコンパターン情報（図３では、アイコン情報と表示。）を通信部２１から通信回線Ｌを介して印刷実行装置Ｐｒに送信する（Ｓ２３）。
【００３９】
印刷実行装置Ｐｒは、アイコン管理部３５が、印刷ジョブエージェント機能部ＡＧから送られてきた認証ログインユーザ用の表示用アイコンパターン情報（配置順序情報）に応じたアイコン配置順序で、操作表示部３４のディスプレイ画面ＤＰに、アイコンを表示出力し、ユーザＵがディスプレイ画面ＤＰに表示されているアイコンのタッチ操作を行うと（Ｓ２４−１）（図３では、アイコン実行と記載。）、アイコン管理部３５が操作されたアイコンを示すＩＤ（アイコンＩＤ）と、操作時刻（実行時間）を含むアイコン操作情報を通信部３１から通信回線Ｌを介して、情報処理装置ＰＣの印刷ジョブエージェント機能部ＡＧに送って登録させる（Ｓ２５−１）。
【００４０】
印刷ジョブエージェント機能部ＡＧは、印刷実行装置ＰｒからアイコンＩＤと操作時間を含むアイコン操作情報が送られてくると、アイコン実行時間管理部２２が、該アイコン操作情報を、個人アイコンパターンの該認証ログインユーザに属する１つのリスト候補となるアイコン操作パターンリストＰ２１に、そのアイコン操作パターンリストＰ２１の先頭のアイコンとして格納する（Ｓ２６−１）。
【００４１】
同様に、印刷実行装置Ｐｒのアイコン管理部３５は、前のアイコン操作時から予め設定されている一定時間経過前に、操作表示部３４のディスプレイ画面ＤＰに表示されているアイコンがユーザＵによってタッチ操作されると（Ｓ２４−２）、アイコン管理部３５が操作されたアイコンのアイコン操作情報を通信部３１から通信回線Ｌを介して印刷ジョブエージェント機能部ＡＧに送る（Ｓ２５−２）。
【００４２】
印刷ジョブエージェント機能部ＡＧは、印刷実行装置Ｐｒからアイコン操作情報が送られてくると、アイコン実行時間管理部２２が、該アイコン操作時間が前のアイコン操作から一定時間内であるか判断して、一定時間内であると、該個人アイコンパターンの該認証ログインユーザのアイコン操作パターンリストＰ２１の前のアイコンを登録したアイコン操作パターンリストと同じアイコン操作パターンリストＰ２１の次のアイコンとして格納する（Ｓ２６−２）。
【００４３】
印刷実行装置Ｐｒ及び印刷ジョブエージェント機能部ＡＧは、アイコン操作が一定の時間内に操作される限り、一連操作のアイコンとして取得して、上記同様に処理して、同じアイコン操作パターンリストＰ２１に順番に登録する。
【００４４】
その後、アイコンの操作から一定時間以上経過すると（Ｓ２７）、印刷ジョブエージェント機能部ＡＧのアイコンパターン制御部２５は、アイコン操作パターンリストＰ２１を、操作列の完了したアイコン操作パターンリストＰ２１として、個人アイコンパターン記憶部２４に登録して（Ｓ２８）、その後に、印刷実行装置Ｐｒは、ユーザＵによって操作表示部３４のディスプレイ画面ＤＰでアイコン操作があると（Ｓ２９）、上記同様に、アイコン管理部３５が操作されたアイコンを示すＩＤ（アイコンＩＤ）と、操作時刻（実行時間）を通信部３１から通信回線Ｌを介して情報処理装置ＰＣの印刷ジョブエージェント機能部ＡＧに送る（Ｓ３０）。
印刷ジョブエージェント機能部ＡＧのアイコン実行時間管理部２２は、印刷実行装置ＰｒからアイコンＩＤと操作時間が送られてくると、該アイコンＩＤと操作時間を、個人アイコンパターン記憶部２４の該認証ログインユーザの次のリスト候補となるアイコン操作パターンリストＰ２２に、そのアイコン操作パターンリストＰ２２の先頭のアイコンとして格納する（Ｓ３１）という処理から上記同様に処理する。
【００４５】
そして、印刷実行装置Ｐｒは、例えば、図４に示すように、７つのアイコン操作パターンリストが印刷ジョブエージェント機能部ＡＧから送られてきた場合、アイコン管理部３５が、該７つのアイコン操作パターンリストの各アイコンの操作回数の総数（加算合計数）を算出して、操作回数（実行回数）が多い順に、アイコンの配置順序を設定し、設定した配置順序のアイコンを、図４の左端に示すように、未操作状態のディスプレイ画面ＤＰに表示する。図４の場合、アイコン管理部３５は、７つのアイコン操作パターンリストにおいて、各アイコンの先頭位置での操作回数の総数を算出すると、丸アイコンが、１３０回と最も多く、次に星印アイコンが、２０回、その次に、菱形アイコンが、１０回、最後に、四角アイコンが、０回となっているため、丸アイコン→星印アイコン→菱形アイコン→四角アイコンの順序をアイコン配置順序として設定して、ディスプレイ画面ＤＰに表示する。
【００４６】
このアイコン配置順序で表示しているディスプレイ画面ＤＰにおいて、ユーザＵが、丸アイコンを操作すると、アイコン管理部３５は、７つのアイコン操作パターンリストのうち、丸アイコンが先頭アイコンであるアイコン操作パターンリスト（図４では、４つのアイコン操作パターンリスト）に絞り込んで、同様に、絞り込んだアイコン操作パターンリストにおける各アイコンの２回目での操作回数の総数を算出して、アイコンの配置順序を決定して、ディスプレイ画面ＤＰに表示する。すなわち、図４では、絞り込んだ４つのアイコン操作パターンリストの順序が２番目であるアイコンの操作回数の総数を算出すると、丸アイコンが、１００回、星アイコンが、３０回、菱形アイコンと四角アイコンが、それぞれ０回である。そして、アイコン管理部３５は、図４に示すように、複数のアイコン操作パターンリストの同じ実行順序に対応する位置の各アイコンの操作回数を算出した総操作回数が同じであるアイコンが複数存在するときには、取得順をアイコンの配置順序として決定する。したがって、アイコン管理部３５は、図４では、１回アイコン操作が行われた場合、アイコン配置順序を、初期画面と同じアイコン配置順序として設定して、図４の真ん中に示すように、ディスプレイ画面ＤＰに表示させる配置順序として決定する。
【００４７】
そして、アイコン管理部３５は、次に、２回目のアイコン操作として、図４に示すように、丸アイコンが操作されると、絞り込んだ４つのアイコン操作パターンリストのうち、丸アイコンが２回連続して行われたアイコン操作パターンリストに絞り込み、このアイコン操作パターンリストにおいて３回目にアイコン操作される可能性のあるアイコンを先頭のアイコン配置順序に優先的に配置して、その後の配置順序を今までの配置順序のままとする。すなわち、図４では、アイコン管理部３５は、丸アイコンと星アイコンを入れ替えてディスプレイ画面ＤＰに表示させる配置順序として決定する。
【００４８】
アイコン管理部３５は、このアイコンの配置順序の入れ替えを、例えば、図５に示すように行う。すなわち、アイコン管理部３５は、図５に示すように、例えば、１６個のアイコンをディスプレイ画面ＤＰに表示している場合、ディスプレイ画面ＤＰの右下に配置されている黒丸で示すアイコンを、左上の位置に配置順序を入れ替えて表示させるとともに、今まで左上に位置していたアイコンを、右側に１つずらせて配置する配置順序の移動を、以降の下位のアイコンに対して行う。
【００４９】
そして、印刷実行装置Ｐｒは、アイコン選択画面表示処理を、図６に示すように実行する。すなわち、印刷実行装置Ｐｒは、情報処理装置ＰＣの印刷ジョブエージェント機能部ＡＧに対して、ユーザ認証情報とともに、または、ユーザ認証情報なしで、アイコン操作パターンリスト（図６では、パターンリストと表記。）の取得を要求する（Ｓ４１）。
情報処理装置ＰＣの印刷ジョブエージェント機能部ＡＧは、アイコン操作パターンリスト要求にユーザ認証情報が付加されているときには、該ユーザ認証情報に対応するアイコン操作パターンリストを個人アイコンパターン記憶部２４から読み出して印刷実行装置Ｐｒに返送し、パターンリスト要求にユーザ認証情報が付加されていないときには、全体アイコンパターン記憶部２３から全体アイコン操作パターンリストを読み出して印刷実行装置Ｐｒに返送する（Ｓ４２）。
【００５０】
印刷実行装置Ｐｒは、アイコン操作パターンリストを、図４で初回のパターン照合として示したようにパターン照合し（Ｓ４３）、照合結果のパターンを適用した後のアイコン配列順序（並び）でアイコンを配列してディスプレイ画面ＤＰに、アイコン選択画面として表示する（Ｓ４４）。
【００５１】
印刷実行装置Ｐｒは、この状態でユーザＵによってアイコン操作（アイコン実行）が行われると（Ｓ４５）、図４で２回目のパターン照合として示したように、パターン照合を行い（Ｓ４６）、照合結果のパターンを適用した後のアイコン配列順序（並び）でアイコンを配列してディスプレイ画面ＤＰに、アイコン選択画面として表示する（Ｓ４７）。
【００５２】
さらに、印刷実行装置Ｐｒは、この状態でユーザＵによってアイコン操作（アイコン実行）が行われると（Ｓ４８）、図４で３回目のパターン照合として示したように、パターン照合を行い（Ｓ４９）、照合結果のパターンを適用した後のアイコン配列順序（並び）でアイコンを配列してディスプレイ画面ＤＰに、アイコン選択画面として表示する（Ｓ５０）。
【００５３】
印刷実行装置Ｐｒは、上記パターン照合、アイコン配列適用後の表示、アイコン実行、パターン照合・・・という表示アイコンパターン設定処理を、所定の一定時間内にアイコン操作が行われている間は順次実行する。
【００５４】
そして、印刷実行装置Ｐｒは、上記アイコン照合処理を、図７及び図８に示すように行う。すなわち、印刷実行装置Ｐｒは、ユーザＵがアイコン操作を行う場合、まず、図７に示すように該ユーザＵに対応するアイコン操作パターンリストの取得要求を情報処理装置ＰＣの印刷ジョブエージェント機能部ＡＧに行い（Ｓ６１）、印刷ジョブエージェント機能部ＡＧから該ユーザＵに対応するアイコン操作パターンリストが送り返されてくると（Ｓ６２）、アイコン管理部３５が、まず、各アイコン操作パターンリストの先頭のアイコンを取得して（Ｓ６３）、アイコンが複数種類であるかチェックする（Ｓ６４）。
【００５５】
アイコン管理部３５は、複数のアイコン操作パターンリストにおいて先頭のアイコンが複数種類あるときには、図４で示したように、各アイコンの利用回数の総数を算出する利用回数処理を行なって（Ｓ６５）、先頭で操作される利用回数が最も多いアイコンを表示順序（表示リスト）の先頭（１番目）に設定する（Ｓ６６）。なお、アイコン管理部３５は、この処理対象となるアイコンの種類が複数存在するときにのみアイコン利用回数処理を行い、１種類のアイコンのみのときには、当該アイコンをその配置順序位置のアイコンとして設定する。
【００５６】
アイコン管理部３５は、先頭のアイコンを決定して表示リストに設定すると、次に、同様に、各アイコン操作パターンリストの先頭から２番目のアイコンを取得して（Ｓ６７）、アイコンが複数種類であるかチェックし（Ｓ６８）、アイコンが複数種類あるときには、同様に、各アイコンの利用回数の総数を算出する利用回数処理を行なって（Ｓ６９）、２回目に操作される利用回数が最も多いアイコンを表示順序（表示リスト）の２番目に設定する（Ｓ７０）。
【００５７】
アイコン管理部３５は、先頭から３番目以降のアイコンについても同様にアイコン照合処理を行い（Ｓ７１）、全ての順位のアイコンを決定すると、操作表示部３４のディスプレイ画面ＤＰに決定した配置順序でアイコンを表示出力する（Ｓ７２）。
【００５８】
ユーザＵは、この決定された配置順序で操作表示部３４のディスプレイ画面ＤＰに表示されているアイコンに対して、アイコン操作を行なって、意図する動作要求等を行う（Ｓ７３）。
【００５９】
次に、ユーザＵが１回アイコン操作した後に一定時間内に連続してアイコン操作する場合のアイコン管理部３５によるアイコン照合処理について、図８に基づいて説明する。
【００６０】
アイコン管理部３５は、前回アイコン操作（図８では、１回目のアイコン操作）されてからの経過時間が、アイコン連続操作（一連操作）として捉えることのできる時間として予め設定されている一定時間であるか判断して、アイコン連続操作であると判断すると（Ｓ８１）、前回操作されたアイコンを該操作回数目に当該アイコンが登録されているアイコン操作パターンリストのみにアイコン操作パターンリストを絞り込み（Ｓ８２）、絞り込んだ各アイコン操作パターンリストの２番目のアイコンを取得して（Ｓ８３）、アイコンが複数種類であるかチェックする（Ｓ８４）。
【００６１】
アイコン管理部３５は、絞り込んだアイコン操作パターンリストの２番目のアイコンが複数種類あるときには、図４で示したように、各アイコンの利用回数の総数を算出する利用回数処理を行なって（Ｓ８５）、２番目に操作される利用回数が最も多いアイコンを表示順序（表示リスト）の２番目に設定する（Ｓ８６）。なお、アイコン管理部３５は、この処理対象となるアイコンの種類が複数存在するときにのみアイコン利用回数処理を行い、１種類のアイコンのみのときには、当該アイコンをその配置順序位置のアイコンとして設定する。
【００６２】
アイコン管理部３５は、先頭のアイコンを決定して表示リストに設定すると、次に、同様に、絞り込んだ各アイコン操作パターンリストの先頭から３番目のアイコンを取得して（Ｓ８７）、アイコンが複数種類であるかチェックし（Ｓ８８）、アイコンが複数種類あるときには、同様に、各アイコンの利用回数の総数を算出する利用回数処理を行なって（Ｓ８９）、３番目に操作される利用回数が最も多いアイコンを表示順序（表示リスト）の３番目に設定する（Ｓ９０）。
【００６３】
アイコン管理部３５は、先頭から４番目以降のアイコンについても同様にアイコン照合処理を行い（Ｓ９１）、全ての順位のアイコンを決定すると、操作表示部３４のディスプレイ画面ＤＰに決定した配置順序でアイコンを表示出力する（Ｓ９２）。
【００６４】
ユーザＵは、この決定された配置順序で操作表示部３４のディスプレイ画面ＤＰに表示されているアイコンに対して、アイコン操作を行なって、意図する動作要求等を行う（Ｓ９３）。
【００６５】
アイコン管理部３５は、上記パターン照合処理を、所定の一定時間内にアイコン操作が行われるか、アイコン操作パターンリストの最後のアイコンが操作されるまでの間は順次実行する。
【００６６】
そして、本実施例の印刷システム１は、印刷実行装置Ｐｒのディスプレイ画面ＤＰにおける上記アイコン表示においては、例えば、図９に示すような複数のアイコン操作パターンリストをパターン選択画面として表示して、ユーザＵが、アイコン操作パターンリストのパターンを選択操作できるようにしてもよい。
【００６７】
すなわち、印刷実行装置Ｐｒのアイコン管理部３５は、上記同様に、ログインしたユーザＵが認証ログインユーザであると、情報処理装置ＰＣの個人アイコンパターン記憶部２４に記憶されている該ユーザＵのアイコン操作パターンリストを印刷ジョブエージェント機能部ＡＧから受け取って、該アイコン操作パターンリストのうち、例えば、利用頻度の高い所定数のアイコン操作パターンを使用される可能性の高いアイコン操作パターンのリストとして、例えば、図９にパターン選択画面として示すように、ディスプレイ画面ＤＰに表示し、ユーザＵによって適宜のアイコン操作パターンが選択されると、図１０に示すように、該選択結果を印刷ジョブエージェント機能部ＡＧに送信して、印刷ジョブエージェント機能部ＡＧのアイコンパターン制御部２５が個人アイコンパターン記憶部２４のアイコン操作パターンリストのアイコン操作パターンの選択回数を管理する等のアイコン操作パターンリストの管理を行う。
また、アイコン管理部３５は、上記同様に、ログインしたユーザＵが非認証ログインユーザであると、情報処理装置ＰＣの全体アイコンパターン記憶部２３に記憶されている全体アイコン操作パターンリストを印刷ジョブエージェント機能部ＡＧから受け取って該アイコン操作パターンリストのうち、例えば、利用頻度の高い所定数のアイコン操作パターンを使用される可能性の高いアイコン操作パターンとして、例えば、図９にパターン選択画面として示したように、ディスプレイ画面ＤＰに表示し、ユーザＵによって適宜のアイコン操作パターンが選択されると、図１０に示すように、該選択結果を印刷ジョブエージェント機能部ＡＧに送信して、印刷ジョブエージェント機能部ＡＧのアイコンパターン制御部２５が全体アイコンパターン記憶部２３のアイコン操作パターンリストの選択回数を管理する等のアイコン操作パターンリストの管理を行う。
【００６８】
また、印刷実行装置Ｐｒのアイコン管理部３５は、例えば、図９に示すように、表示切替手段として、ディスプレイ画面ＤＰのパターン選択画面とアイコン選択画面に、画面切り替えボタンを表示したり、操作表示部に画面切り替えボタンを設けて、該画面切り替えボタンが操作されると、図１０に示すように、ディスプレイ画面ＤＰの画面表示を、パターン選択画面とアイコン選択画面とで切り替えるようにしてもよい。
【００６９】
すなわち、アイコン管理部３５は、例えば、パターン選択画面で画面切り替えボタンが操作されると、ディスプレイ画面ＤＰの表示画面を、パターン選択画面からアイコン選択画面に切り替え、パターン選択画面で画面切り替えボタンが操作されると、ディスプレイ画面ＤＰの表示画面を、アイコン選択画面からパターン選択画面に切り替える。
【００７０】
また、本実施例の印刷システム１は、情報処理装置ＰＣの印刷ジョブエージェント機能部ＡＧが、アイコン操作情報から一連操作を検出して一連操作のアイコン操作パターンリストとして取得するアイコン実行時間管理部２２、非認証ログインのユーザＵによるアイコン操作パターンリストと認証ログインユーザＵによるアイコン操作パターンリストをそれぞれ記憶するアイコン操作パターン情報記憶手段としての全体アイコンパターン記憶部２３と個人アイコンパターン記憶部２４及び印刷実行装置Ｐｒからの要求に応じてアイコン操作パターンリスト情報を提供するアイコンパターン制御部２５を備えているが、各印刷実行装置Ｐｒが、上記アイコン管理部３５等の他に、これらのアイコン実行時間管理部２２、全体アイコンパターン記憶部２３及び個人アイコンパターン記憶部２４を備えて、アイコン操作パターンリストの取得、記憶及びアイコン配置順序の決定を行なってもよい。
さらに、情報処理装置ＰＣが、操作表示部を備えており、該操作表示部でのアイコン配置順序を、情報処理装置ＰＣ内の処理として実行してもよい。この場合、情報処理装置ＰＣが、ログイン状況管理部、アイコン管理部を備えることとなる。
【００７１】
このように、本実施例の印刷システム１は、所定の表示領域にそれぞれ機能の割り当てられている複数のアイコンを表示する操作表示部３４のディスプレイ画面（表示画面）ＤＰと、ディスプレイ画面ＤＰに表示されているアイコンのうち所定時間内に操作（所定の一連操作）された複数のアイコンの識別情報を操作順序とともにアイコン操作パターンリスト（アイコンパターン情報）として取得するアイコンパターン情報取得手段としてのアイコン管理部３５、通信部３１、通信部２１及びアイコン実行時間管理部２２と、アイコン操作パターンリストを複数記憶するアイコンパターン情報記憶手段としての全体アイコンパターン記憶部２３と個人アイコンパターン記憶部２４と、全体アイコンパターン記憶部２３と個人アイコンパターン記憶部２４に記憶されている複数のアイコン操作パターンリストに基づいてアイコンの配置順序を決定して、印刷実行装置Ｐｒのディスプレイ画面ＤＰに複数のアイコンを該配置順序で表示させるアイコン配置決定手段としてのアイコン管理部３５と、を備えている。
【００７２】
したがって、複数のアイコンが連続操作される場合にも、次に操作される確率の高いアイコンを優先的に配置させることができ、操作性を向上させる配置順序にアイコンを配置することができる。
【００７３】
また、本実施例の印刷システム１は、印刷ジョブを生成して送信する情報処理装置ＰＣと、所定の表示領域にそれぞれ機能の割り当てられている複数のアイコンを表示するディスプレイ画面ＤＰでのアイコン操作及び印刷ジョブに基づいて印刷処理を実行する印刷実行装置（印刷装置）Ｐｒとが所定の通信回線Ｌで接続されている印刷システム１であって、印刷実行装置Ｐｒが、通信回線Ｌを介して情報処理装置ＰＣと通信する通信部（通信手段）３１と、操作表示部３４のディスプレイ画面ＤＰに表示されているアイコンのうち操作されたアイコンの識別情報を操作順序とともにアイコン情報として取得するアイコン管理部（アイコンパターン情報取得手段）３５と、アイコン情報を通信部３１から情報処理装置ＰＣに送信するとともに、情報処理装置ＰＣからのアイコンの配置順序情報を通信部３１が受信すると、ディスプレイ画面ＤＰへ複数のアイコンを該配置順序で表示させるアイコン管理部（アイコン制御手段）３５と、を備え、情報処理装置ＰＣが、通信回線Ｌを介して印刷実行装置Ｐｒと通信する通信部（通信手段）２１と、通信部２１が印刷実行装置Ｐｒから受信した前記アイコン情報のうち所定の一連操作された複数のアイコン操作のアイコン情報を操作順序とともにアイコン操作パターンリスト（アイコンパターン情報）として取得するアイコン実行時間管理部（アイコンパターン情報取得手段）２２と、該アイコン操作パターンリストを、該印刷実行装置Ｐｒに関連付けて記憶するアイコンパターン情報記憶手段としての全体アイコンパターン記憶部２３及び個人アイコンパターン記憶部２４と、該全体アイコンパターン記憶部２３及び個人アイコンパターン記憶部２４に印刷実行装置Ｐｒ毎に記憶されている複数の前記アイコン操作パターンリスト情報を通信部２１に該印刷実行装置Ｐｒへ送信させるアイコンパターン制御部（アイコン制御手段）２５と、を備えている。
【００７４】
したがって、複数の印刷実行装置Ｐｒが接続されている印刷システム１において、各印刷実行装置Ｐｒのディスプレイ画面ＤＰに表示させる複数のアイコンが連続操作される場合にも、各印刷実行装置Ｐｒにおけるアイコン操作結果を情報処理装置ＰＣの印刷ジョブエージェント機能部ＡＧで集中して管理して、必要なアイコン操作情報を印刷実行装置Ｐｒに渡して、印刷実行装置Ｐｒが、該アイコン操作情報に基づいて次に操作される確率の高いアイコンを、安価かつ効率的に管理することができるとともに、優先的に配置させることができ、操作性を向上させる配置順序に安価にアイコンを配置することができる。
【００７５】
さらに、本実施例の印刷システム１は、ディスプレイ画面ＤＰの所定の表示領域にそれぞれ機能の割り当てられている複数のアイコンを表示する表示処理ステップと、ディスプレイ画面ＤＰに表示されているアイコンのうち所定の一連操作された複数のアイコンの識別情報を操作順序とともにアイコン操作パターンリストとして取得して全体アイコンパターン記憶部２３及び個人アイコンパターン記憶部２４に記憶させるアイコンパターン情報取得処理ステップと、全体アイコンパターン記憶部２３及び個人アイコンパターン記憶部２４に記憶されている複数のアイコン操作パターンリストに基づいてアイコンの配置順序を決定して前記表示処理ステップでディスプレイ画面ＤＰに複数のアイコンを該配置順序で表示させるアイコン配置決定処理ステップと、を有するアイコン表示制御方法を実行している。
【００７６】
したがって、複数のアイコンが連続操作される場合にも、次に操作される確率の高いアイコンを優先的に配置させることができ、操作性を向上させる配置順序にアイコンを配置することができる。
【００７７】
また、本実施例の印刷システム１は、コンピュータに、ディスプレイ画面ＤＰの所定の表示領域にそれぞれ機能の割り当てられている複数のアイコンを表示する表示処理と、ディスプレイ画面ＤＰに表示されているアイコンのうち所定の一連操作された複数のアイコンの識別情報を操作順序とともにアイコン操作パターンリストとして取得して全体アイコンパターン記憶部２３及び個人アイコンパターン記憶部２４に記憶させるアイコンパターン情報取得処理と、全体アイコンパターン記憶部２３及び個人アイコンパターン記憶部２４に記憶されている複数の前記アイコン操作パターンリストに基づいてアイコンの配置順序を決定して前記表示処理でディスプレイ画面ＤＰに複数のアイコンを該配置順序で表示させるアイコン配置決定処理と、を実行させるアイコン表示制御プログラムを搭載している。
【００７８】
したがって、複数のアイコンが連続操作される場合にも、次に操作される確率の高いアイコンを優先的に配置させることができ、操作性を向上させる配置順序にアイコンを配置することができる。
【００７９】
さらに、本実施例の印刷システム１は、前記アイコンパターン情報取得手段が、前記一連操作されたアイコンの識別情報、操作順序及び操作回数を前記アイコン操作パターンリストとして取得して、全体アイコンパターン記憶部２３及び個人アイコンパターン記憶部２４に記憶させ、アイコン管理部３５が、全体アイコンパターン記憶部２３及び個人アイコンパターン記憶部２４に記憶されている複数の前記アイコン操作パターンリストの各操作順序に位置するアイコンの識別情報及び操作回数に基づいて、ディスプレイ画面ＤＰへの前記アイコンの配置順序を決定している。
【００８０】
したがって、一連操作されたアイコンを正確かつ容易に把握して、複数のアイコンが連続操作される場合にも、次に操作される確率の高いアイコンをより適切な状態で優先的に配置させることができ、操作性を向上させる配置順序にアイコンを配置することができる。
【００８１】
また、本実施例の印刷システム１は、アイコン管理部３５が、ディスプレイ画面ＤＰに表示させているアイコンの操作が行われると、全体アイコンパターン記憶部２３及び個人アイコンパターン記憶部２４の複数の前記アイコンパターン情報を、前記一連操作における該アイコンの操作順序に対応する位置のアイコンが、操作された該アイコンと同じアイコンであるアイコン操作パターンリストに絞り込み、絞り込んだ該アイコン操作パターンリストに基づいてアイコンの配置順序を決定して、前記表示画面に複数の該アイコンを該配置順序で表示させるアイコン配置順序決定処理を、該表示画面に表示させている該アイコンの操作が前記一連操作として行われる毎に順次実行している。
【００８２】
したがって、複数のアイコンが連続操作される場合に、一連操作されるのに従って次に操作される確率がより一層高いアイコンを優先的に配置させることができ、操作性をより一層向上させる配置順序にアイコンを配置することができる。
【００８３】
さらに、本実施例の印刷システム１は、アイコンパターン情報取得手段としてのアイコン実行時間管理部２２が、前のアイコン操作から所定時間内に次のアイコン操作が行われると、前の該アイコン操作と次の該アイコン操作を前記一連操作として、前記アイコン操作パターンリストを取得している。
【００８４】
したがって、一連操作されたアイコンの操作であるか否かを適切かつ容易に判断してアイコン操作パターンリストを取得することができ、複数のアイコンが連続操作される場合に、次に操作される確率が高いアイコンを優先的に配置させることができる。
【００８５】
また、本実施例の印刷システム１は、所定の表示領域にそれぞれ機能の割り当てられている複数のアイコンを列状に並べたアイコンパターンを表示するディスプレイ画面（表示画面）ＤＰと、ディスプレイ画面ＤＰに表示されている複数のアイコンパターンのうち一つが選択操作されると、選択操作された該アイコンパターンの識別情報をアイコン操作パターンリストとして取得するアイコン管理部（アイコンパターン情報取得手段）３５と、アイコン操作パターンリストを複数記憶するアイコンパターン情報記憶手段としての全体アイコンパターン記憶部２３及び個人アイコンパターン記憶部２４と、全体アイコンパターン記憶部２３及び個人アイコンパターン記憶部２４に記憶されている複数のアイコン操作パターンリストに基づいて複数のアイコンパターンの配置順序を決定して、ディスプレイ画面ＤＰに複数のアイコンパターンを該配置順序で表示させるアイコンパターン配置決定手段としてのアイコン管理部３５と、を備えている。
【００８６】
したがって、ユーザＵは、アイコン操作パターンリストを選択することで、一連のアイコン操作を一度の操作で行うことができ、利用性をより一層向上させることができる。
【００８７】
さらに、本実施例の印刷システム１は、全体アイコンパターン記憶部２３及び個人アイコンパターン記憶部２４が、全体アイコンパターン記憶部２３及び個人アイコンパターン記憶部２４に記憶されている複数のアイコン操作パターンリストに基づいてアイコンの配置順序を決定して、ディスプレイ画面ＤＰに複数のアイコンを該配置順序で表示させるアイコン配置決定手段と、全体アイコンパターン記憶部２３及び個人アイコンパターン記憶部２４に記憶されている複数のアイコン操作パターンリストに基づいて複数のアイコンパターンの配置順序を決定して、ディスプレイ画面ＤＰに複数のアイコンパターンを該配置順序で表示させるアイコンパターン配置決定手段と、の機能を実行し、該アイコンパターン配置決定手段として決定した前記配置順序での複数の前記アイコンパターンの表示と、該アイコン配置決定手段として決定した前記配置順序での複数の前記アイコンの表示と、を切り替えるアイコン管理部（表示切り替え手段）３５と、前記アイコン配置決定手段の決定した前記配置順序で前記表示画面に表示されている前記アイコンのうち所定の一連操作された複数のアイコンの識別情報を操作順序とともにアイコンパターン情報として取得して全体アイコンパターン記憶部２３及び個人アイコンパターン記憶部２４に記憶させるアイコン実行時間管理部（アイコンパターン情報取得手段）２２と、を備えている。
【００８８】
したがって、アイコンパターンの選択画面とアイコン選択画面を適宜切り替えて、操作することができ、より一層利用性を向上させることができる。
【００８９】
また、本実施例の印刷システム１は、印刷実行装置Ｐｒが、所定の表示領域にそれぞれ機能の割り当てられている複数のアイコンを表示する操作表示部３４のディスプレイ画面（表示画面）ＤＰと、ディスプレイ画面ＤＰに表示されているアイコンのうち所定時間内に操作（所定の一連操作）された複数のアイコンの識別情報を操作順序とともにアイコン操作パターンリスト（アイコンパターン情報）として取得するアイコンパターン情報取得手段としてのアイコン管理部３５及びアイコン実行時間管理部２２と、アイコン操作パターンリストを複数記憶するアイコンパターン情報記憶手段としての全体アイコンパターン記憶部２３と個人アイコンパターン記憶部２４と、全体アイコンパターン記憶部２３と個人アイコンパターン記憶部２４に記憶されている複数のアイコン操作パターンリストに基づいてアイコンの配置順序を決定して、ディスプレイ画面ＤＰに複数のアイコンを該配置順序で表示させるアイコン配置決定手段としてのアイコン管理部３５と、を備えていてもよい。
このようにすると、印刷実行装置Ｐｒのみで、複数のアイコンが連続操作される場合にも、次に操作される確率の高いアイコンを優先的に配置させることができ、操作性を向上させる配置順序にアイコンを配置することができる。
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【００９０】
１  印刷システム
Ｌ  通信回線
ＰＣ  情報処理装置
Ｐｒ  印刷実行装置
ＣＬ  印刷クライアント機能部
ＡＧ  印刷ジョブエージェント機能部
１１  通信部
１２  印刷ジョブ生成部
２１  通信部
２２  アイコン実行時間管理部
２３  全体アイコンパターン記憶部
２４  個人アイコンパターン記憶部
２５  アイコンパターン制御部
３１  通信部
３２  印刷部
３３  ログイン状況管理部
３４  操作表示部
３５  アイコン管理部
【先行技術文献】
【特許文献】
【００９１】
【特許文献１】特開平１０−９７４０７号公報
【図１】
2013235500.tif 000003
【図２】
2013235500.tif 000004
【図３】
2013235500.tif 000005
【図４】
2013235500.tif 000006
【図５】
2013235500.tif 000007
【図６】
2013235500.tif 000008
【図７】
2013235500.tif 000009
【図８】
2013235500.tif 000010
【図９】
2013235500.tif 000011
【図１０】
2013235500.tif 000012